(57)【特許請求の範囲】
【請求項１】
画像または音声を含む再生情報を記録する記録部と、
前記再生情報の再生を行う再生処理部と、
前記再生情報の圧縮変換を行う圧縮部とを備えた記録再生装置において、
前記再生処理部による再生処理の停止が検知された場合に、前記再生処理がなされていた前記再生情報の圧縮を行うか否かの指示を受け付け、圧縮を行うことが指示された場合に、該再生情報を圧縮変換して圧縮情報を生成して前記圧縮情報を前記記録部へ記録するよう前記圧縮部を制御するとともに、前記圧縮情報の生成に用いられた前記再生情報を前記記録部から消去する圧縮制御部と、
を備え、
前記圧縮制御部は、前記再生処理部による再生処理の停止が検知され、且つ前記再生情報の圧縮を行うことが指示された場合に、前記再生処理がなされていた前記再生情報の再生済み時間、または前記再生情報の再生時間全体に対する再生済み時間の比率に基づいて、前記再生情報の圧縮率を決定する記録再生装置。
【請求項２】
前記圧縮制御部は、前記再生処理部による再生処理の停止が検知された場合に、前記再生処理がなされていた前記再生情報の再生済み時間、または前記再生情報の再生時間全体に対する再生済み時間の比率が、予め定められた値を超えるか否かを判定し、超える場合に、前記再生情報の圧縮を行うか否かの指示を受け付けることを特徴とする請求項１に記載の記録再生装置。
【請求項３】
前記圧縮制御部は、前記再生処理部による再生処理の停止が検知された場合に、前記再生処理がなされていた前記再生情報の再生停止回数が予め定められた回数を超えるか否かを判定し、超える場合に、前記再生情報の圧縮を行うか否かの指示を受け付けることを特徴とする請求項１または請求項２に記載の記録再生装置。
【請求項４】
前記圧縮制御部は、前記再生処理部による再生処理の停止が検知され、且つ前記再生処理がなされていた前記再生情報が予め定められた圧縮処理を施されていない場合に、前記再生情報の圧縮を行うか否かの指示を受け付けることを特徴とする請求項１〜請求項３のいずれかに記載の記録再生装置。
【請求項５】
操作指示を受け付ける操作部と、
画像信号を生成する画像信号生成部とを備え、
前記圧縮制御部は、前記再生処理の停止操作が前記操作部により検知された場合に、前記再生処理がなされていた前記再生情報の圧縮を行うか否かの指示を受け付けるための画像を含む画像信号を生成するよう前記画像信号生成部を制御し、該指示が前記操作部を介してなされるのを前記画像信号を出力しつつ待ち受けることを特徴とする請求項１〜請求項４のいずれかに記載の記録再生装置。
【請求項６】
放送波の受信を行う受信部と、
前記放送波に含まれる画像情報または音声情報を前記再生情報として前記記録部に記録する録画部とを備え、
圧縮制御部は、前記録画部により前記記録部に記録された前記再生情報の再生停止が検知された場合に、前記再生処理がなされていた前記再生情報の圧縮を行うか否かの指示を受け付けることを特徴とする請求項１〜請求項５のいずれかに記載の記録再生装置。
【発明の詳細な説明】
【技術分野】
【０００１】
本発明は、画像または音声の記録再生を行う記録再生装置に関するものであり、特に記録データの圧縮機能を備えた記録再生装置に関する。
【背景技術】
【０００２】
近年、デジタル技術の多機能化、多様化により、ＤＶＤ（Digital Versatile Disc）レコーダやＨＤＤ（Hard Disk Drive）レコーダ等の様々な記録再生装置が普及している。これらの記録再生装置は、ＤＶＤやＨＤＤに記録されている画像／音声デジタルデータをデコードすることにより、画像／音声信号をテレビジョン装置やモニタ、又はスピーカ等に出力する。
【０００３】
しかしながらＨＤＤ等の記録媒体の容量には限りがある。ユーザが視聴しようとする全ての番組をそのまま録画すると、やがて空き容量がなくなる。この問題に対する対応策の一つとして、録画時のビットレートを下げることにより、必要となる記録容量を抑えるといった対応策が考案されている。
【０００４】
具体的には通常のＨＤＤレコーダは、番組を録画する場合に、非圧縮のＴＳ形式（ＭＰＥＧ２−ＴＳ）のまま録画する、いわゆるＤＲ（Direct Recording）モードを備えている。また、低レート形式（例えばＨ.２６４／ＭＰＥＧ４ＡＶＣ）に圧縮変換して録画する、いわゆる圧縮モードを備えている。ユーザは必要に応じて、使用するモードの切り換えを行うことが可能である。
【０００５】
例えば二時間番組を録画した場合、ＤＲモードでは約２５ＧＢ、圧縮モードでは約５ＧＢ（ただし圧縮率により変化する）が消費される。つまり２５０ＧＢの容量をもつＨＤＤでは、前者では十番組、後者では五十番組を録画できることとなる。
【０００６】
ＤＲモードで録画すると高画質で番組を視聴できるというメリットがあるが、録画できる番組数が少ないというデメリットがある。圧縮モードで録画する場合はこの逆のメリット、デメリットがある。このため、ＤＲモードで録画すると高画質で番組を鑑賞できる反面、録画データの消去を頻繁に行わなければならない。逆に圧縮モードで録画する場合、多くの番組を録画可能であるが、高画質で鑑賞することができない。
【０００７】
上記に関連して特許文献１においては、ユーザの嗜好に合う番組を高品位の画像で再生できる記録装置が開示されている。この記録装置は、ユーザの視聴した番組の履歴を視聴履歴として記録し、視聴履歴からユーザの視聴傾向を抽出する。
【０００８】
そして選局された番組が、ユーザの視聴傾向に一致するか否かをチャンネル毎に判定する。一致する場合には、高品位の画像を維持できるビットレートのまま記録媒体に記録する。一致しない場合には低ビットレートに変換して記録媒体に記録する。
【０００９】
また上記に関連して特許文献２においては、録画した番組を保存してある蓄積用メモリの利用状況に応じて、録画番組を再符号化して圧縮或いは消去する番組録画再生装置が開示されている。
【００１０】
この番組録画再生装置は、蓄積用メモリに保存された番組の中から、所定の条件にあう番組を読み出して再符号化もしくは消去して蓄積用メモリの内容を更新する。また、番組を録画もしくは再生する毎に、その番組に対するユーザの視聴特性を学習し、学習した視聴特性を再符号化もしくは消去するときの所定の条件の変更に反映させる。
【００１１】
また上記に関連して特許文献３においては、同時に複数の番組を記録し、その中から不要な番組について自動的に消去を実行する、または圧縮と消去とを実行する画像記録再生装置が開示されている。
【００１２】
この画像記録再生装置は、同時に受信した複数のテレビ放送を番組毎に分割して記録する。ユーザは予め、任意の第一の保存期限、第二の保存期限、及び消去キーワードを設定しておく。そして消去キーワードに該当する番組を、第一の保存期限で消去する。また消去キーワードに該当しない番組を、第一の保存期限で圧縮し、第二の保存期限で消去する。
【先行技術文献】
【特許文献】
【００１３】
【特許文献１】特開２００４−１８６８４５号公報
【特許文献２】特開２００７−１４２６４５号公報
【特許文献３】特開２００６−２５１５２号公報
【発明の概要】
【発明が解決しようとする課題】
【００１４】
しかしながら特許文献１または特許文献２に記載されている技術では、視聴履歴の解析機能や学習機能を記録装置に持たせる必要があり、複雑な処理プログラムが必要になるという問題があった。また特許文献３に記載されている技術では、ユーザ操作によるキーワード設定が必要であるとともに、必ずしも最適なキーワードが設定されるとは限らないという問題があった。
【００１５】
本発明は、上記の問題を鑑みてなされたものであり、圧縮を行わない非圧縮モードで記録媒体へ録画を行いつつ、複雑なユーザ操作を必要とすることなく、記録媒体の容量を有効活用することが可能な記録再生装置を提供することを目的とする。
【課題を解決するための手段】
【００１６】
上記目的を達成するために本発明の記録再生装置は、画像または音声を含む再生情報を記録する記録部と、前記再生情報の再生を行う再生処理部と、前記再生情報の圧縮変換を行う圧縮部とを備えた記録再生装置において、前記再生処理部による再生処理の停止が検知された場合に、前記再生処理がなされていた前記再生情報の圧縮を行うか否かの指定を受け付け、圧縮を行うことが指定された場合に、該再生情報を圧縮変換して圧縮情報を生成して前記圧縮情報を前記記録部へ記録するよう前記圧縮部を制御するとともに、前記圧縮情報の生成に用いられた前記再生情報を前記記録部から消去する圧縮制御部を備えることを特徴としている。
【００１７】
この構成によると、本発明の記録再生装置は、再生情報を記録する記録部と、再生を行う再生処理部と、圧縮変換を行う圧縮部とを備えている。また、再生処理の停止が検知された場合に、再生処理がなされていた再生情報の圧縮を行うか否かの指定を受け付ける圧縮制御部を備える。圧縮制御部は、圧縮を行うことが指定された場合に、再生情報を圧縮変換して圧縮情報を生成して記録部へ記録するよう、圧縮部を制御する。さらに、圧縮情報の生成に用いられた再生情報を記録部から消去する。
【００１８】
また、上記目的を達成するために本発明の記録再生装置が備える前記圧縮制御部は、前記再生処理部による再生処理の停止が検知され、且つ前記再生情報の圧縮を行うことが指定された場合に、前記再生処理がなされていた前記再生情報の再生済み時間、または前記再生情報の再生時間全体に対する再生済み時間の比率に基づいて、前記再生情報の圧縮率を決定することを特徴としている。
【００１９】
この構成によると、圧縮制御部は、再生処理の停止が検知され、且つ再生情報の圧縮を行うことが指定された場合に、再生情報の再生済み時間、または再生済み時間の比率に基づいて、再生情報の圧縮率を決定する。
【００２０】
また、上記目的を達成するために本発明の記録再生装置が備える前記圧縮制御部は、前記再生処理部による再生処理の停止が検知された場合に、前記再生処理がなされていた前記再生情報の再生済み時間、または前記再生情報の再生時間全体に対する再生済み時間の比率が、予め定められた値を超えるか否かを判定し、超える場合に、前記再生情報の圧縮を行うか否かの指定を受け付けることを特徴としている。
【００２１】
この構成によると、圧縮制御部は、再生処理の停止が検知された場合に、再生情報の再生済み時間の長さ、または録画時間全体に対する再生済み時間の比率が、所定値を超えるか否かを判定する。そして超える場合に、再生情報の圧縮を行うか否かの指定を受け付ける。
【００２２】
また、上記目的を達成するために本発明の記録再生装置が備える前記圧縮制御部は、前記再生処理部による再生処理の停止が検知された場合に、前記再生処理がなされていた前記再生情報の再生停止回数が予め定められた回数を超えるか否かを判定し、超える場合に、前記再生情報の圧縮を行うか否かの指定を受け付けることを特徴としている。
【００２３】
この構成によると、圧縮制御部は、再生処理の停止が検知された場合に、再生情報の再生停止回数が所定回数を超えるか否かを判定する。そして超える場合に、再生情報の圧縮を行うか否かの指定を受け付ける。
【００２４】
また、上記目的を達成するために本発明の記録再生装置が備える前記圧縮制御部は、前記再生処理部による再生処理の停止が検知され、且つ前記再生処理がなされていた前記再生情報が予め定められた圧縮処理を施されていない場合に、前記再生情報の圧縮を行うか否かの指定を受け付けることを特徴としている。
【００２５】
この構成によると、圧縮制御部は、再生処理の停止が検知され、且つ再生情報が所定の圧縮処理を施されていない場合に、再生情報の圧縮を行うか否かの指定を受け付ける。
【００２６】
また、上記目的を達成するために本発明の記録再生装置は、操作指示を受け付ける操作部と、画像信号を生成する画像信号生成部とを備え、前記圧縮制御部は、前記再生処理の停止操作が前記操作部により検知された場合に、前記再生処理がなされていた前記再生情報の圧縮を行うか否かの指定を受け付けるための画像を含む画像信号を生成するよう前記画像信号生成部を制御し、該指定が前記操作部を介してなされるのを前記画像信号を出力しつつ待ち受けることを特徴としている。
【００２７】
この構成によると、本発明の記録再生装置は、操作指示を受け付ける操作部と、画像信号を生成する画像信号生成部とを備えている。圧縮制御部は、再生処理の停止操作が操作部により検知された場合に、再生情報の圧縮を行うか否かの指定を受け付けるための画像を含む画像信号を、画像信号生成部により生成する。そしてユーザが操作部を用いて上記指定を行うのを、この画像信号を出力しつつ待ち受ける。
【００２８】
また、上記目的を達成するために本発明の記録再生装置は、操作指示を受け付ける操作部と、画像信号を生成する画像信号生成部とを備え、前記圧縮制御部は、前記再生処理の停止操作が前記操作部により検知された場合に、前記再生処理がなされていた前記再生情報の圧縮率の指定を受け付けるための画像を含む画像信号を生成するよう前記画像信号生成部を制御し、該指定が前記操作部を介してなされるのを前記画像信号を出力しつつ待ち受けることを特徴としている。
【００２９】
この構成によると、本発明の記録再生装置は、操作指示を受け付ける操作部と、画像信号を生成する画像信号生成部とを備えている。圧縮制御部は、再生処理の停止操作が操作部により検知された場合に、再生情報の圧縮率の指定を受け付けるための画像を含む画像信号を、画像信号生成部により生成する。そしてユーザが操作部を用いて上記指定を行うのを、この画像信号を出力しつつ待ち受ける。
【００３０】
また、上記目的を達成するために本発明の記録再生装置は、放送波の受信を行う受信部と、前記放送波に含まれる画像情報または音声情報を前記再生情報として前記記録部に記録する録画部とを備え、圧縮制御部は、前記録画部により前記記録部に記録された前記再生情報の再生停止が検知された場合に、前記再生処理がなされていた前記再生情報の圧縮を行うか否かの指定を受け付けることを特徴としている。
【００３１】
この構成によると、本発明の記録再生装置は、放送波の受信を行う受信部と、放送波に含まれる画像情報または音声情報を再生情報として記録部に記録する録画部とを備えている。圧縮制御部は、録画部により記録部に記録された再生情報の再生停止が検知された場合に、再生情報の圧縮を行うか否かの指定を受け付ける。
【発明の効果】
【００３２】
本発明によれば、録画時は非圧縮の記録形式で記録を行い、再生停止時に、低レート形式に圧縮変換するか否かの指定受け付けを行う。これによりユーザは、録画データの再生時において、再生情報に含まれる画像または音声を高品質のまま鑑賞することができるとともに、簡易な操作で圧縮処理を行うことができる。
【００３３】
また本発明によれば、録画データの容量を削減するための複雑な処理プログラムを必要とすることもない。また、記録可能容量が減少する度に、圧縮または削除する録画データをユーザが録画番組一覧等から選択して手動圧縮する必要がない。また、非圧縮の録画データのみを記録する場合と比較して、より多くの録画時間の録画データを記録しておくことが可能である。
【図面の簡単な説明】
【００３４】
【図１】本発明の記録再生装置が備える機能部の構成を示すブロック図である。
【図２】本発明の記録再生装置の内部構成を示すブロック図である。
【図３】本発明の第一の実施形態に係る圧縮制御処理を示すフロー図である。
【図４】本発明の第一の実施形態に係る圧縮選択画面を示す画面図である。
【図５】本発明の第二の実施形態に係る圧縮制御処理を示すフロー図である。
【図６】本発明の第三の実施形態に係る圧縮制御処理を示すフロー図である。
【図７】本発明の第三の実施形態に係る圧縮率選択画面を示す画面図である。
【発明を実施するための形態】
【００３５】
以下に本発明の実施形態を、図面を参照しながら説明する。なお、ここで示す実施形態は一例であり、本発明はここに示す実施形態に限定されるものではない。
〈１−１．内部構成について〉
【００３６】
図２は、本発明の第一の実施形態に係るＨＤＤレコーダ１（＝記録再生装置）の内部構成を示すブロック図である。なお、図２における矢印線は画像／音声データの流れを示している。また、矢印のない直線は、制御部１１が各装置に対する制御信号等を送受信するための通信バスを示している。
【００３７】
ＨＤＤレコーダ１は少なくとも、制御部１１、メモリ１２、操作部１３、フラッシュメモリ１４（＝記録部）、ＨＤＤ１５（＝記録部）、光ディスクドライブ１６、放送受信部１７（＝受信部）、信号処理部１８、ＯＳＤ（On-Screen Display）処理部１９（＝画像信号生成部）、及び外部接続端子２０を含むように構成されている。なお外部接続端子２０により接続される表示装置として、ディスプレイ２が存在する。
【００３８】
制御部１１は、ＨＤＤレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する録画部１１ａ〜設定部１１ｅ（図１）を備えている。
【００３９】
メモリ１２は、ＨＤＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００４０】
操作部１３は、ユーザがＨＤＤレコーダ１に対して、画像／音声の再生指示等を行うためのものである。操作部１３は、例えばＨＤＤレコーダ１のハウジングに設けられた複数のボタンや、図示しないリモコン及びリモコン信号受信部等を含む。操作部１３はこれらの装置により、ユーザ操作を受け付ける。ユーザ操作が受け付けられると、制御部１１は、操作内容に基づいて再生処理や記録処理等を行う。
【００４１】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００４２】
ＨＤＤ１５は、デジタルデータを記録する磁気記録媒体である。本実施形態では主に、放送波に含まれる画像／音声データから生成される録画データ（＝再生情報）や、圧縮処理により生成された圧縮録画データを記録するのに用いられる。
【００４３】
光ディスクドライブ１６は、ＣＤ（Compact Disc）メディア、或いはＤＶＤ（Digital Versatile Disc）メディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００４４】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００４５】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００４６】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００４７】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２等に出力する場合は、外部接続端子２０へ与えられる。
【００４８】
ＯＳＤ処理部１９は、画像信号を生成する機能部である。ＯＳＤ処理部１９は、ＨＤＤレコーダ１が出力すべき情報をユーザが視認できる画像データに変換し、変換した画像データをディスプレイ２に表示するための画像信号を生成する。生成された画像信号は、外部接続端子２０より出力される。
【００４９】
外部接続端子２０は、例えばＨＤＭＩ（High Definition Multimedia Interface）端子やＵＳＢ（Universal Serial Bus）端子等を含む、複数の入出力端子からなるインタフェースである。外部接続端子２０はこれらの入出力端子を用いて、ＨＤＤレコーダ１と外部の装置、例えばディスプレイ２を接続し、デジタル信号またアナログ信号の入出力を行う。
【００５０】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
〈１−２．機能部の構成について〉
【００５１】
ここで、本発明の第一の実施形態に係るＨＤＤレコーダ１が圧縮制御処理を実施するための各機能部の関係を、図１のブロック図を用いながら説明する。なお、図１における破線矢印線は、制御信号の流れを示している。
【００５２】
図１に示すように本発明の圧縮制御処理は、制御部１１が備える録画部１１ａ、再生処理部１１ｂ、圧縮部１１ｃ、圧縮制御部１１ｄ、及び設定部１１ｅにより実施される。
【００５３】
録画部１１ａは、信号処理部１８でスルーされたＴＳ、または信号処理部１８により復号されたデジタル信号を、番組単位のデータである録画データとしてＨＤＤ１５へ記録する。録画データには、画像／音声データの他に番組に関連する情報、例えば番組タイトルや放送局、放送日時等も含まれる。
【００５４】
録画部１１ａは通常、非圧縮のＴＳを用いて録画データを生成する。ただし予めユーザにより圧縮録画が指示されている場合、まず信号処理部１８を用いてＴＳを画像／音声デジタル信号に変換する。そして後述する圧縮部１１ｃを用いて、画像／音声デジタル信号に含まれる画像／音声データに符号化を施して圧縮録画データを生成し、ＨＤＤ１５に記録する。
【００５５】
再生処理部１１ｂは、画像／音声データの再生制御、例えばＨＤＤ１５に記録されている録画データの再生制御を行う。再生指示を検知した再生処理部１１ｂは、指定された録画データをＨＤＤ１５より読み出し、画像／音声デジタル信号に変換するよう、信号処理部１８を制御する。
【００５６】
圧縮部１１ｃは、画像／音声データに符号化を施して圧縮録画データ等の圧縮データを作成し、ＨＤＤ１５等に記録する。圧縮部１１ｃは例えば、Ｈ.２６４／ＭＰＥＧ４ＡＶＣ方式により、画像／音声データの圧縮を行う。ただしこれ以外の圧縮方式を用いる形態でもよい。
【００５７】
圧縮制御部１１ｄは、再生処理部１１ｂが実施する録画データの再生処理の停止が検知された場合に、再生されていた録画データの圧縮処理を行うか否かの指定を、ユーザより受け付ける。そして圧縮処理の実施が指定された場合に、録画データに含まれる画像／音声データの圧縮処理を行うよう、圧縮部１１ｃを制御する。
【００５８】
具体的には圧縮制御部１１ｄは、例えば図４に示す圧縮選択画面１００を表示するための画像信号を生成するよう、ＯＳＤ処理部１９を制御する。そして生成された画像信号を、外部接続端子２０を介してディスプレイ２へ出力する。これにより、圧縮選択画面１００がディスプレイ２に表示される。
【００５９】
図４に示すように圧縮選択画面１００には、メッセージウィンド１０１及びカーソル１０２が含まれている。ユーザは操作部１３を用いてカーソル１０２を移動させることにより、メッセージウィンド１０１に含まれる「はい」ボタン、または「いいえ」ボタンを選択できる。「はい」ボタンにカーソル１０２があわせられている状態で操作部１３に含まれる決定キーが押下されると、圧縮制御部１１ｄは、録画データの圧縮処理の実施が指定されたとみなす。
【００６０】
ただし圧縮制御部１１ｄは、再生停止された録画データが非圧縮の録画データ、つまりＴＳの状態で生成された録画データである場合にのみ、上記の指定受け付け処理を行う。既に圧縮部１１ｃにより圧縮が施された圧縮録画データが再生停止された場合には、上記の指定受け付け処理を行わない。
【００６１】
設定部１１ｅは、圧縮制御部１１ｄの動作に関する各種設定を、ユーザより受け付ける。例えば、上記の圧縮選択画面１００を用いた圧縮の実施／非実施の受け付けを、再生停止時に実施するか否かの設定を受け付ける。なお設定内容を示す設定情報は、メモリ１２またはＨＤＤ１５に記録される。実施しない設定を受け付けた場合、非圧縮の録画データの再生停止が検知されたとしても、圧縮制御部１１ｄは圧縮選択画面１００を表示せず、圧縮の実施／非実施に関する指定受け付けも行わない。
〈１−３．圧縮制御処理について〉
【００６２】
ここで、本発明の第一の実施形態に係るＨＤＤレコーダ１が実施する圧縮制御処理を、図３のフロー図を用いながら説明する。図３に示す処理は、ＨＤＤレコーダ１の電源が駆動しており、且つ再生処理部１１ｂによる録画データの再生処理が開始された時点で開始される。ただし本処理を開始するのは、再生処理が開始されたデータが非圧縮の録画データである場合に限る。圧縮録画データの再生処理が開始された場合は、本処理を実施しない。
【００６３】
本処理の開始後、再生処理部１１ｂはステップＳ１１０において、再生処理部１１ｂにより録画データの終端まで再生が実施され、再生処理が自動停止されたか否かを判定する。終端まで再生されて自動停止した場合、後述するステップＳ１３０へ移行する。
【００６４】
終端まで再生が実施されていない場合、再生処理部１１ｂはステップＳ１２０において、再生停止指示が検知されたか否かを判定する。なお再生停止指示は、例えば操作部１３に含まれる再生停止ボタン（不図示）が押下された場合等に発行される。
【００６５】
再生停止指示が検知されていない場合、再びステップＳ１１０へ移行する。再生停止指示が検知された場合、圧縮制御部１１ｄはステップＳ１３０において、再生停止位置の確認を行う。
【００６６】
次に圧縮制御部１１ｄはステップＳ１４０において、録画データの先頭位置から再生停止位置までの長さが、所定値を超えるか否かを判定する。なお所定値の具体例としては、例えば「録画データの先頭から６０分」のように、再生時間の絶対値で定める。或いは、「録画データ全体の再生時間うち、先頭から８０％の再生時間」のように、再生時間の比率で定める形態でもよい。
【００６７】
先頭位置から再生停止位置までの長さが所定値を超えない場合、本処理を終了する。所定値を超える場合、圧縮制御部１１ｄはステップＳ１５０において、図４に示す圧縮選択画面１００を表示するための画像信号を生成するよう、ＯＳＤ処理部１９を制御する。そして生成された画像信号を、外部接続端子２０を介してディスプレイ２へ出力する。
【００６８】
あわせて圧縮制御部１１ｄは、ユーザからの選択指示を待ち受ける状態に移行する。なお選択指示は、例えば操作部１３に含まれる選択キーや決定キー（不図示）を用いて行われる。
【００６９】
次に圧縮制御部１１ｄはステップＳ１６０において、録画データの圧縮指示、例えば図４における「はい」ボタンの押下を、検知したか否かを判定する。所定時間を経過しても圧縮指示を検知しなかった場合、選択指示の待ち受けを停止し、本処理を終了する。あわせて、圧縮選択画面１００の表示も停止する。
【００７０】
録画データの圧縮指示を検知した場合、圧縮制御部１１ｄはステップＳ１７０において、上記で再生が停止された録画データの圧縮を行い、圧縮録画データを生成するよう圧縮部１１ｃを制御する。なお生成された圧縮録画データはＨＤＤ１５に記録される。
【００７１】
圧縮処理が完了すると、圧縮制御部１１ｄはステップＳ１８０において、圧縮元の録画データ、つまり上記で再生停止された非圧縮の録画データを、ＨＤＤ１５から消去する。圧縮元の録画データの消去が完了すると、本処理を終了する。
【００７２】
なおこの際、圧縮元の録画データの消去を許可するか否かに関する設定を、設定部１１ｅが予めユーザより受け付けておく形態でもよい。或いは、消去を許可するか否かに関する問い合わせ画面をＯＳＤ処理部１９により生成してディスプレイ２に表示し、操作部１３による操作指示を待ち受ける形態でもよい。
【００７３】
以上に説明した本実施形態によれば、録画時は非圧縮のＴＳ形式で録画を行い、ユーザがその番組を見た後に、低レート形式に圧縮変換するか否かの指定待ち受けを行う。これによりユーザは、録画データの再生時において高解像度で番組を鑑賞することができるとともに、再生終了後に簡易な操作で圧縮処理を行うことができる。
【００７４】
このため、例えばＨＤＤ１５の空き容量が減少する度に圧縮または削除する録画データを録画一覧から手動選択するといった、手間を省くことができる。また、非圧縮の録画データのみを記録する場合と比較して、より多くの録画データをＨＤＤ１５に記録しておくことができる。
[実施の形態２]
【００７５】
次に、本発明の第二の実施形態について説明する。
〈２−１．内部構成について〉
【００７６】
第一の実施形態と同内容であるため、ここでは説明を省略する。
〈２−２．機能部の構成について〉
【００７７】
第一の実施形態と同じ構成であるが、圧縮制御部１１ｄの機能が一部異なる。本実施形態の圧縮制御部１１ｄは、録画データの再生停止が検知された場合に、再生停止位置ではなく、該当録画データの再生停止回数を確認する。そして再生停止回数が所定回数を越える場合に、圧縮選択画面１００を表示して圧縮の実施／非実施の指定を受け付ける。
【００７８】
また本実施形態の圧縮制御部１１ｄは、録画データの再生済み時間、または録画データの録画時間全体に対する再生済み時間の比率に基づいて、圧縮録画データ生成時の圧縮率の決定を行う。そして決定した圧縮率に基づいて、圧縮を行う。例えば、再生済み時間の比率が大きいほど圧縮率を低下させ、比率が小さいほど圧縮率を増加させる。
【００７９】
具体的には例えば、再生済み時間が録画時間全体の５０％である場合に、高圧縮の「７倍」や「５倍」で圧縮する。逆に録画データの全てが再生済みである場合、低圧縮の「２倍」で圧縮したり、或いはＤＲモードのまま記録しておいたりする。
【００８０】
或いは圧縮制御部１１ｄは、録画データの再生停止回数に基づいて、圧縮録画データ生成時の圧縮率の決定を行う形態でもよい。例えば、再生停止回数が多いほど圧縮率を低下させ、再生停止回数が少ないほど圧縮率を増加させる。
〈２−３．圧縮制御処理について〉
【００８１】
ここで、本発明の第二の実施形態に係るＨＤＤレコーダ１が実施する圧縮制御処理を、図５のフロー図を用いながら説明する。なお、第一の実施形態の図３と同内容の処理については、同じステップ番号を付加することにより説明を省略するものとする。
【００８２】
ステップＳ１１０及びステップＳ１２０については、実施の形態１と同様である。ステップＳ１２０において再生停止が検知された場合、圧縮制御部１１ｄはステップＳ１３１において、再生停止回数の確認を行う。つまり録画データが未視聴の状態から視聴済みの状態に変化した後、何回の再生停止が行われたかを確認する。
【００８３】
なおこの回数は、再生停止毎に予めカウントして履歴情報としてフラッシュメモリ１４等に記録しておくものとする。また、所定の期間（例えば一日や一週間）が経過した時点で、カウントをリセットする形態でもよい。
【００８４】
次に圧縮制御部１１ｄはステップＳ１４１において、上記で確認した再生停止回数が所定回数を超えるか否かを判定する。再生停止回数が所定回数を超えない場合、本処理を終了する。所定回数を超える場合、圧縮制御部１１ｄはステップＳ１５０、ステップＳ１６０を実施する。
【００８５】
ステップＳ１６０において、録画データの圧縮指示を検知した場合、圧縮制御部１１ｄはステップＳ１６１において、再生済み時間の長さまたは比率に基づいて、圧縮率の決定を行う。そしてステップＳ１７１において、上記で決定した圧縮率で録画データの圧縮を行うよう、圧縮部１１ｃを制御する。なお以降の処理については、実施の形態１と同内容であるため、説明を省略する。
【００８６】
以上に説明した本実施形態によれば、再生開始及び再生停止が頻繁に行われ、結果としてユーザがその大半を視聴済みである確率が高い録画データに対してのみ、圧縮の実施／非実施の問い合わせを行う。逆に再生停止が頻繁に行われておらず、今後もユーザが高画質で視聴しようとする確率の高い録画データに関しては、圧縮の実施／非実施の問い合わせを行わない。これにより、不要な問い合わせが多発し、ユーザに煩わしさを感じさせるといった事態を回避できる。
【００８７】
また本実施形態によれば、再生済み時間の長さまたは比率に基づいて、録画データの圧縮率を決定する。このため、ユーザが最後まで再生を行った録画データのように、ユーザが気に入っている確率が高い録画データほど、高画質で保存しておくことが可能である。
[実施の形態３]
【００８８】
次に、本発明の第三の実施形態について説明する。
〈３−１．内部構成について〉
【００８９】
第一の実施形態と同内容であるため、ここでは説明を省略する。
〈３−２．機能部の構成について〉
【００９０】
第一の実施形態と同じ構成であるが、圧縮制御部１１ｄの機能が一部異なる。本実施形態の圧縮制御部１１ｄは、録画データの再生停止が検知され、圧縮の実施／非実施の指定を受け付ける際に、圧縮率の指定を受け付けるための画面を表示する。具体的には、図７に示す圧縮率選択画面１１０を表示するための画像信号を生成するよう、ＯＳＤ表示１９を制御し、ユーザからの指定を待ち受ける。
【００９１】
圧縮率選択画面１１０には、メッセージウィンド１１１及びカーソル１１２が含まれる。ユーザは操作部１３を用いてカーソル１１２を移動させることにより、メッセージウィンド１１１に含まれる「ＤＲ」ボタン〜「７倍」ボタンを選択できる。各ボタンのいずれかカーソル１１２があわせられている状態で操作部１３に含まれる決定キーが押下されると、圧縮制御部１１ｄは、録画データの圧縮率の指定がなされたとみなす。
【００９２】
なお図中の「ＤＲ」は非圧縮を示す。「２倍」〜「７倍」はそれぞれ異なる圧縮率を示す。倍数が大きいほど圧縮率が高くなり、生成される圧縮録画データのデータサイズも小さいものとなる。ただし圧縮率が高くなるにつれ、画質が低下する。
〈３−３．圧縮制御処理について〉
【００９３】
ここで、本発明の第三の実施形態に係るＨＤＤレコーダ１が実施する圧縮制御処理を、図６のフロー図を用いながら説明する。なお、第一の実施形態の図３と同内容の処理については、同じステップ番号を付加することにより説明を省略するものとする。
【００９４】
ステップＳ１１０〜ステップＳ１４０については、実施の形態１と同様である。ステップＳ１４０において再生時間が所定時間を超過していると判定された場合、圧縮制御部１１ｄはステップＳ１５２において、図７に示す圧縮率選択画面１１０を表示するための画像信号を生成するよう、ＯＳＤ処理部１９を制御する。そして生成された画像信号を、外部接続端子２０を介してディスプレイ２へ出力する。
【００９５】
あわせて圧縮制御部１１ｄは、ユーザからの圧縮率選択指示を待ち受ける状態に移行する。なお圧縮率選択指示は、例えば操作部１３に含まれる選択キーや決定キーを用いて行われる。
【００９６】
次に圧縮制御部１１ｄはステップＳ１６２において、圧縮率としてＤＲが選択されたか否かを判定する。ＤＲが選択された場合、圧縮を行う必要がないため、本処理を終了する。ＤＲが選択されず、その他の圧縮率が選択された場合、圧縮制御部１１ｄはステップＳ１７２において、再生が停止された録画データの圧縮を指定された圧縮率で行うよう、圧縮部１１ｃを制御する。これにより、圧縮録画データがＨＤＤ１５に記録される。なお以降の処理については、実施の形態１と同内容であるため、説明を省略する。
【００９７】
以上に説明した本実施形態によれば、録画時は非圧縮のＴＳ形式で録画を行い、ユーザがその番組を見た後に、低レート形式に圧縮変換するかどうか確認するとともに、圧縮率の指定を受け付ける。これによりユーザは、再生終了後に簡易な操作で圧縮率の指定及び圧縮指示を同時に行うことができる。
［その他の実施の形態］
【００９８】
以上、好ましい実施の形態及び実施例を挙げて本発明を説明したが、本発明は必ずしも上記実施の形態に限定されるものではなく、その技術的思想の範囲内において様々に変形して実施することができる。
【００９９】
従って本発明は、以下の形態にも適用可能である。
【０１００】
（Ａ）上記実施形態では、本発明の記録再生装置の一例としてＨＤＤレコーダ１を例に挙げているが、外部より音声／画像データを入力して記録する記録再生装置であれば、これ以外の装置において本発明を実施する形態でもよい。例えば、ＤＶＤ（Digital Versatile Disc）レコーダ、ＶＣＲ（Video Cassette Recorder）、録画機能を備えたテレビジョン装置等を用いる形態であってもよい。
【０１０１】
（Ｂ）上記実施形態では、本発明の圧縮制御処理に関わる各機能部が、マイクロプロセッサ等の演算処理装置上でプログラムを実行することにより実現されているが、各機能部が複数の回路により実現される形態でもよい。
【０１０２】
（Ｃ）上記実施形態では、本発明の圧縮制御処理に関わる各機能部がＨＤＤレコーダ１の内部に備わっている構成を例として説明したが、これらの一部がネットワークを介して接続された外部装置により実現される形態であってもよい。例えば、圧縮部１１ｃが行う画像／音声データの圧縮処理を、ＨＤＤレコーダ１に接続された情報処理サーバ（不図示）により実施する形態でもよい。
【０１０３】
（Ｄ）上記実施形態では、圧縮選択画面１００を表示して圧縮に関する選択指示を受け付けるタイミングとして、録画データの終端まで再生が終了した時点、及び再生途中で再生停止された時点を例に説明を行っているが、これ以外のタイミングにおいて上記の受け付けを行う形態でもよい。例えば、再生の一時停止指示や、ＨＤＤレコーダ１の電源停止指示を検知した場合に、上記の受け付けを行う形態でもよい。
【０１０４】
（Ｅ）上記実施形態では、圧縮選択画面１００等により圧縮の指定を受け付けた直後に圧縮処理を行っているが、これ以外のタイミングにおいて圧縮処理を実施する形態でもよい。例えば、圧縮の指定を受けてから、次にＨＤＤレコーダ１の主電源が停止された時点で、バックグランド動作として圧縮を実施する形態でもよい。或いは、圧縮実施時刻のスケジューリングをユーザ操作により受け付ける形態でもよい。
【０１０５】
（Ｆ）上記実施形態では、圧縮を行った録画データの削除を行っているが、この際に録画データの管理データの一部、例えばタイトルデータ等のみを削除し、実データはＨＤＤ１３に残しておく形態でもよい。これにより、ユーザが誤って圧縮を指示したとしても、圧縮元の録画データを復元できる可能性があるため、利便性の向上を図ることができる。
【０１０６】
（Ｇ）上記実施形態では、録画データ及び圧縮録画データを記録する記録媒体としてＨＤＤ１３を例に説明を行っているが、これ以外の記録媒体を用いて本発明を実施する形態でもよい。例えば、ＳＳＤ（Solid State Drive）等の半導体メモリや、書き換え可能な光ディスクであるＤＶＤ−ＲＷまたはＢＤ−ＲＷ等を記録媒体として用いる形態でもよい。
【０１０７】
（Ｈ）上記実施形態では、圧縮対象とする音声／画像データとして放送番組を録画した録画データを例に説明を行っているが、これ以外の音声／画像データに対して本発明の圧縮制御処理を実施する形態でもよい。例えば、ハンディカムカメラ等の外部装置から入力した音声／画像データの再生停止時に、圧縮制御処理を実施する形態でもよい。
【符号の説明】
【０１０８】
１      ＨＤＤレコーダ（記録再生装置）
１１    制御部
１１ａ  録画部
１１ｂ  再生処理部
１１ｃ  圧縮部
１１ｄ  圧縮制御部
１１ｅ  設定部
１２    メモリ
１３    操作部
１４    フラッシュメモリ（記録部）
１５    ＨＤＤ（記録部）
１６    光ディスクドライブ
１７    放送受信部（受信部）
１８    信号処理部
１９    ＯＳＤ処理部（画像信号生成部）
２０    外部接続端子
【図１】
0005644182.tif 000002
【図２】
0005644182.tif 000003
【図３】
0005644182.tif 000004
【図４】
0005644182.tif 000005
【図５】
0005644182.tif 000006
【図６】
0005644182.tif 000007
【図７】
0005644182.tif 000008